(57)【要約】【課題】  ファインダの画面内表示として、透過型表示素子を使うと透明電極の配線パターンが見えてしまう。【解決手段】  フォーカシングスクリーンの下側に透過型表示素子を配置して、フォーカシングスクリーンの光拡散性により配線パターンを見えなくするとともに、透過型表示素子の発光部に位置するフォーカシングスクリーンを光拡散性を低下させたものに設定すること、あるいは、表示部分とは異なる単一面で構成することで、透過型表示素子の滲みを防止して見えの低下をなくす。【選択図】  図１
2006195171.tif 000002
【特許請求の範囲】
【請求項１】
撮影レンズのピントを観察するためのフォーカシングスクリーンを持つファインダ光学系において、透明電極を持つ透過型表示素子で被写体像に重ねてスーパーインポーズ表示できるようになっており、接眼レンズから前記透過型表示素子を観察する時に、前記フォーカシングスクリーンを通して行なうようにしたことを特徴とするファインダ表示装置。
【請求項２】
前記フォーカシングスクリーンは、光拡散性を有する表面状態を持つことを特徴とする請求項１に記載のファインダ表示装置。
【請求項３】
前記透過型表示素子の表示する部分に対応した少なくとも同等の大きさの範囲の前記フォーカシングスクリーンの光拡散性を、前記表示する部分以外の部分に比べて低下させたことを特徴とする請求項１に記載のファインダ表示装置。
【請求項４】
前記透過型表示素子の表示する部分に対応した少なくとも同等の大きさの範囲の前記フォーカシングスクリーンを、前記表示する部分以外の部分とは異なる単一面で構成したことを特徴とする請求項１に記載のファインダ表示装置。
【請求項５】
前記単一面として、平面、球面あるいは非球面で構成されたことを特徴とする請求項４に記載のファインダ表示装置。
【発明の詳細な説明】
【技術分野】
【０００１】
本発明は、カメラのファインダ表示装置に関するものである。
【背景技術】
【０００２】
従来カメラのファインダ内に撮影情報を表示するものとして、例えば特許文献１に示すように有機ＥＬ素子を用いているものや、特許文献２に示すように透過型ＬＣＤを用いているものが知られている。
【特許文献１】特開２０００−２２１５７８号公報
【特許文献２】特開平８−１３６９９４号公報
【発明の開示】
【発明が解決しようとする課題】
【０００３】
しかしながら、従来のファインダ表示装置では、フォーカシングスクリーンに対して、接眼側に表示素子を配置するので、それぞれの素子を駆動するために透明電極を使って行なうのが一般的であるが、透明電極であっても電極の配線がされていない部分との透過率の僅かな差があったり、表面反射の具合が違っていたりすることで、非点灯部である配線パターンがファインダ内で見えてしまい、これによりファインダの見えを悪くしてしまうという問題点があった。
【課題を解決するための手段】
【０００４】
本発明のファインダ表示装置は、撮影レンズのピントを観察するためのフォーカシングスクリーンを持つファインダ光学系において、透明電極を持つ透過型表示素子で被写体像に重ねてスーパーインポーズ表示できるようになっており、接眼レンズから前記透過型表示素子を観察する時に、前記フォーカシングスクリーンを通して行なうようにしたことを特徴とする。
【発明の効果】
【０００５】
本発明によれば、撮影レンズのピントを観察するためのフォーカシングスクリーンを持つファインダ光学系において、透明電極を持つ透過型表示素子で被写体像に重ねてスーパーインポーズ表示できるようになっており、接眼レンズから前記透過型表示素子を観察する時に、前記フォーカシングスクリーンを通して行なうようにしたことにより、透過型表示素子の表示部以外の透明電極配線部が前記フォーカシングスクリーンの拡散効果により肉眼ではほとんど確認できない状態にすることが可能となるので、被写体像を観察するエリアでは、すっきりとした見えのよい被写体像が得られることになる。
【０００６】
さらに、前記透過型表示素子の表示する部分に対応した少なくとも同等の大きさの範囲の前記フォーカシングスクリーンの光拡散性を、前記表示する部分以外の部分に比べて低下させたことにより、前記透過型表示素子の表示が発光型表示または、ファインダ透過光を遮蔽して表示を行なうシャッタ型表示であっても、表示されたものが滲むことがなくはっきりとした表示を行なうことが可能となる。
【発明を実施するための最良の形態】
【０００７】
〔実施例１〕
図１乃至図４は、本発明の実施形１を示しており、図１は一眼レフカメラの縦断面図であり、同図において１は被写体を結像させるための撮影レンズであり、複数のレンズ群２を保持している。３は反射ミラーであり被写体光Ａをファインダ光Ｂ側へ略９０度曲げるためのものであり、不図示のレリーズボタンが押されると反射ミラー３は上方へ退避して被写体光Ａは撮像素子４に到達して電気変換が行われ露光が完了するようになっている。５は、透過型表示素子であり自己発光型の透明ＥＬタイプやファインダ光Ｂを遮蔽して表示するゲストホスト型ＬＣＤタイプなどが用いられる。６は、フォーカシングスクリーンであり片面に光拡散性を持たせており、撮影レンズ１を通過した被写体光Ａをピント合わせするときにボケを確認できるようにしてあり、フォーカシングスクリーン６の光拡散性を持たせた片面に被写体光Ａのピントが合ったときにボケが最小になるようになっている。７は、ペンタプリズムであり被写体光Ａを正立正像にするためのものである。８は、接眼レンズ群でありフォーカシングスクリーン６上に結像した被写体像を肉眼９にて観察できるようにしてある。
【０００８】
図２は、透過型表示素子５の構成を示した分解斜視図であり、ここで１０はカバーガラスであり透明電極１１を裏面に付けてあり表示するセグメント別に１１ａ、１１ｂ、１１ｃ、１１ｄ、１１ｅのようにセグメント電極を構成してある。１２は絶縁層、１３は表示層であり自己発光型の透明ＥＬタイプであれば発光層を設定し、ゲストホスト型ＬＣＤタイプの場合には液晶層を挿入するようになっている。１４は下側の絶縁層、１５はベースガラス１６上に取り付けられたコモン電極であり前記透明電極１１の表示部分であるセグメント電極１１ａ、１１ｂ、１１ｃ、１１ｄ、１１ｅに対応した位置にのみ重なるように対向電極を形成するように設定されている。
【０００９】
図３は、透過型表示素子５とフォーカシングスクリーン６との関係を示す斜視図であり、フォーカシングスクリーン６には、透過型表示素子５の透明電極１１の表示部分であるセグメント電極１１ａ、１１ｂ、１１ｃ、１１ｄ、１１ｅに対応した位置にそれぞれ表示エリア６ａ、６ｂ、６ｃ、６ｄ、６ｅが設定されており光拡散性を十分持たせたマット面６ｆに対して光拡散性を低下させるように設定してあり、透過型表示素子５の表示が滲まず、すっきりとした像として肉眼９にて観察できるようになっている。また、表示部分であるセグメント電極１１ａ、１１ｂ、１１ｃ、１１ｄ、１１ｅの透明電極配線部がそれぞれ１１ｆ、１１ｇ、１１ｈ、１１ｉ、１１ｊが必要であり、コネクタ部５ａにて不図示の制御基板に接続するようになっている。しかし、この透明電極配線部１１ｆ、１１ｇ、１１ｈ、１１ｉ、１１ｊは、透明であるが透過状態あるいは反射状態で多少でも変化することで、肉眼９にて観察可能になってしまうために被写体像の観察時において非常に煩わしいものとなっているものを、光拡散性を十分持たせたマット面６ｆを接眼レンズ８側に設定することで、透明電極配線部１１ｆ、１１ｇ、１１ｈ、１１ｉ、１１ｊが光拡散すなわちボケることにより全く肉眼９では、見えなくすることが可能となった。
【００１０】
図４は、前記透過型表示素子５とフォーカシングスクリーン６との関係において透過型表示素子５の表示が滲まず、くっきりと肉眼９にて観察できることの原理を説明する構成図であり、透過型表示素子５の構成として１７は、表示層１３の封止剤であり、表示層１３がゲストホスト型ＬＣＤ等の場合には表示層１３の厚さを一定に保つためのスペーサも兼用している。Ｂａ，Ｂｂは、撮影レンズ２から入射された被写体光線であり、Ｂａは透過型表示素子５の非表示部を通過した光線でありフォーカシングスクリーン６の光拡散性を十分持たせたマット面６ｆにて拡散されてＣａとなりピントの調節によってボケ量が変化するようになっている。Ｂｂは透過型表示素子５の表示部を通過した光線であり光拡散性を低下させた６ａ面を通過するように設定されており被写体像がボケ難いようになっているが、透過型表示素子５が自己発光型の透明ＥＬタイプであれば発光光線Ｄ１が被写体像光線と重なって見えるスーパーインポーズ表示になるようになっている。この発光光線Ｄ１は、光拡散性を低下させた６ａ面を通過することで肉眼９には、Ｄ２光線とＣｂ光線とが滲まずにすっきりとした表示として観察できることになる。また、透過型表示素子５がゲストホスト型ＬＣＤタイプの場合には、表示部１１ａが対向電極１１と１５とが重なった部分だけが色が付くようになり、被写体像の光線Ｂｂを表示セグメント部１１ａで遮蔽することで円弧状の表示１１ａを表示するようになっているが、この場合でも表示部１１ａと非表示部との境目が光拡散性を低下させてあるエリア６ａ部で観察することで滲まないすっきりとした表示にすることが可能となるように設定されている。
【００１１】
図１乃至図４の構成で、被写体像を肉眼９で観察する場合には、被写体光Ａが撮影レンズ群２で結像された像として反射ミラー３により略９０度曲げられてファインダ光Ｂ側へ導かれ透過型表示素子５を通過した後、フォーカシングスクリーン６上の光拡散性を持たせた片面に結像すると被写体像はボケが最小となり、ペンタプリズム７を通過して接眼レンズ８により肉眼９でピントが合焦したとして観察できる仕組みになっている。この観察状態において、透過型表示素子５の表示部を通過した光線は、光拡散性を低下させた６ａ  面を通過するように設定されているので合焦したか否かが分かり難いが、フォーカシングスクリーン６の全面と比べると前記表示部は、ごく一部にすぎないためにピント合わせの障害にはなり得ないように構成してある。
【００１２】
また、透明電極配線部１１ｆ、１１ｇ、１１ｈ、１１ｉ、１１ｊは、透明であるが透過状態あるいは反射状態で多少でも変化することで、肉眼９にて観察可能になってしまうために被写体像の観察時において非常に煩わしいものとなっているものを、光拡散性を十分持たせたマット面６ｆを接眼レンズ８側に設定することで、透明電極配線部１１ｆ、１１ｇ、１１ｈ、１１ｉ、１１ｊが光拡散つまりボケることにより全く肉眼９では、見えなくすることが可能となった。
【００１３】
不図示のレリーズボタンの第１ストロークを押し込むことでカメラのオートフォーカス機能が働く様になっている場合には、まず表示部１１ａ、１１ｅとが通電され、例えば自己発光型の透明ＥＬタイプの場合にはオートフォーカスエリアの表示として半円表示が左右に表示されるようになり、オートフォーカス点１１ｂ、１１ｃ、１１ｄの何れか１つが点灯して合焦状態を撮影者に知らせることができるようになっていて、その表示は、光拡散性を低下させた６ａ  面を通過することで、滲みがなくすっきりとした表示にすることが可能となった。
【００１４】
〔実施例２〕
図５及び図６は、本発明の実施例２を示しており、透過型表示素子５の表示部分である透明電極１１のセグメント電極１１ａ、１１ｂ、１１ｃ、１１ｄ、１１ｅに対応した位置にそれぞれ表示エリア６ａ、６ｂ、６ｃ、６ｄ、６ｅを設定してあるが、この表示エリアを単一面として平面、球面あるいは非球面で構成している。特に図５においては、表示エリアを平面にした実施例を示しているが、これに限らず単一面である方が光拡散性がさらに低下させることが可能であることより、表示の滲みを最小限にでき、よりすっきりとした表示にすることができるようになっている。
【００１５】
図６は、透過型表示素子５の表示部分である透明電極１１のセグメント電極１１ａ、１１ｂ、１１ｃ、１１ｄ、１１ｅの表示の大きさＨ１と、表示部分に対応した位置の表示エリア６ａ、６ｂ、６ｃ、６ｄ、６ｅの大きさＨ２との関係を示した図である。透過型表示素子５の表示部分が自己発光型の透明ＥＬタイプでも、ゲストホスト型ＬＣＤタイプでも、いずれにしても表示する場合には表示の大きさＨ１の全体がフォーカシングスクリーン６の光拡散性を十分持たせたマット面６ｆに干渉しないようにする必要がある。もし表示エリア６ａ、６ｂ、６ｃ、６ｄ、６ｅが、マット面６ｆに干渉するとその干渉部分が滲むことになり、表示としては見づらいものとなってしまう。したがって、組み立て精度も含めると、表示エリアの大きさＨ１に対して表示エリアの大きさＨ２は、同等以上の大きさが必要になるものである。式で示すとＨ１≦Ｈ２ということが必要となる。
【００１６】
また、この実施例２の場合でも、透明電極配線部１１ｆ、１１ｇ、１１ｈ、１１ｉ、１１ｊを見せなくするために、表示エリア６ａ、６ｂ、６ｃ、６ｄ、６ｅ以外のフォーカシングスクリーン６の面は、光拡散性を十分持たせたマット面６ｆとし、さらにフォーカシングスクリーン６を接眼レンズ８側に設定することは必要なことである。
【図面の簡単な説明】
【００１７】
【図１】本発明の実施例を示すカメラの縦断面図である。
【図２】本発明の透過型表示素子の分解斜視図である。
【図３】本発明の透過型表示素子の表示状態を示す斜視図である。
【図４】本発明の実施例１の原理を示す説明図である。
【図５】本発明の実施例２の原理を示す説明図である。
【図６】本発明の実施例２の透過型表示部の寸法説明図である。
【符号の説明】
【００１８】
１  撮影レンズ
４  撮像素子
５  透過型表示素子
６  フォーカシングスクリーン
６ａ、６ｂ、６ｃ、６ｄ、６ｅ  表示エリア
６ｆ  マット面
７  ペンタプリズム
８  接眼レンズ群
【図１】
2006195171.tif 000003
【図２】
2006195171.tif 000004
【図３】
2006195171.tif 000005
【図４】
2006195171.tif 000006
【図５】
2006195171.tif 000007
【図６】
2006195171.tif 000008